(57)【要約】【課題】ディスプレイが宙に浮いているような外観を有する電子機器を提供する。【解決手段】電子機器は、第１透明板４と、第１透明板４と対向する第２透明板５と、第１透明板４と第２透明板５との間で、第１透明板４および第２透明板５を部分的に覆うディスプレイ６と、第１透明板４と第２透明板５との間で、ディスプレイ６の周囲に充てんされた透明部材１０と、を備える。【選択図】図２
2020034845.tif 000002
【特許請求の範囲】
【請求項１】
第１透明板と、
前記第１透明板と対向する第２透明板と、
前記第１透明板と前記第２透明板との間で、前記第１透明板および前記第２透明板を部分的に覆うディスプレイと、
前記第１透明板と前記第２透明板との間で、前記ディスプレイの周囲に充てんされた透明部材と、を備える電子機器。
【請求項２】
前記透明部材は、前記ディスプレイを囲う囲繞部を有し、
少なくとも前記囲繞部が一体に成形されている、請求項１に記載の電子機器。
【請求項３】
前記透明部材は、前記ディスプレイを囲う囲繞部を有し、
前記囲繞部のうち、前記ディスプレイを向く内面に反射面が形成されている、請求項１または２に記載の電子機器。
【請求項４】
前記ディスプレイを囲うフレーム体をさらに有し、
前記透明部材は前記フレーム体、前記ディスプレイ、前記第１透明板、および前記第２透明板により形成された隙間全体に充てんされる、請求項１から３のいずれか１項に記載の電子機器。
【請求項５】
前記透明部材には配線収容部が形成され、
前記配線収容部の内側に、前記ディスプレイの配線の少なくとも一部が位置している、請求項１から４のいずれか１項に記載の電子機器。
【請求項６】
前記第１透明板と前記透明部材との間および前記第２透明板と前記透明部材との間には、接着剤が設けられていない、請求項１から５のいずれか１項に記載の電子機器。
【請求項７】
前記ディスプレイを囲うフレーム体、前記ディスプレイ、前記第１透明板、前記第２透明板、および前記透明部材を有する表示部と、
前記表示部に対して移動可能であり、前記表示部に重ねられることが可能な本体部と、を有し、
前記本体部には、前記表示部と前記本体部とが重ねられたときに、前記第１透明板、前記透明部材、および前記第２透明板を通して視認可能なサブディスプレイが設けられている、請求項１から５のいずれか１項に記載の電子機器。
【発明の詳細な説明】
【技術分野】
【０００１】
本発明は、電子機器に関する。
【背景技術】
【０００２】
従来から、下記特許文献１に示されるような、ディスプレイを備えた電子機器が用いられている。
【先行技術文献】
【特許文献】
【０００３】
【特許文献１】特許第５９６９６４３号公報
【発明の概要】
【発明が解決しようとする課題】
【０００４】
このような電子機器では、ディスプレイの周囲には有色のベゼルが形成されるのが一般的な構成である。
【０００５】
本発明はこのような事情を考慮してなされ、ディスプレイが宙に浮いているような外観を有する電子機器を提供することを目的とする。
【課題を解決するための手段】
【０００６】
上記課題を解決するために、本発明の一態様に係る電子機器は、第１透明板と、前記第１透明板と対向する第２透明板と、前記第１透明板と前記第２透明板との間で、前記第１透明板および前記第２透明板を部分的に覆うディスプレイと、前記第１透明板と前記第２透明板との間で、前記ディスプレイの周囲に充てんされた透明部材と、を備える。
【発明の効果】
【０００７】
本発明の上記態様によれば、ディスプレイが宙に浮いているような外観を有する電子機器を提供することができる。
【図面の簡単な説明】
【０００８】
【図１】本実施形態に係る電子機器の斜視図である。
【図２】図１の表示部の分解斜視図である。
【図３】図１のＩＩＩ−ＩＩＩ断面矢視図である。
【図４】図１のＩＶ−ＩＶ断面矢視図である。
【図５】図１の表示部と本体部とを重ね合わせて、表示部側から見た図である。
【発明を実施するための形態】
【０００９】
以下、本実施形態の電子機器について図面に基づいて説明する。
図１に示すように、電子機器１は、本体部２と表示部３とを有する、いわゆるクラムシェル型（ノート型）のパーソナルコンピュータである。本体部２と表示部３とは、表示部３が本体部２に対して開いた状態と閉じた状態との間で、相対的に移動可能となっている。すなわち、表示部３と本体部２とは、互いに重ね合わされることが可能となっている。
なお、本実施形態を、ノート型ＰＣに限らず、デスクトップ型ＰＣ、タブレット端末、携帯電話などの電子機器に適用してもよい。
【００１０】
（方向定義）
本実施形態では、ＸＹＺ直交座標系を設定して各構成の位置関係を説明する。以下、Ｘ軸に沿う方向を左右方向Ｘといい、Ｙ軸に沿う方向を前後方向Ｙといい、Ｚ軸に沿う方向を上下方向Ｚという。また、左右方向Ｘにおける一方側を＋Ｘ側（左側）といい、他方側を−Ｘ側（右側）という。前後方向Ｙにおける一方側を＋Ｙ側（後側）といい、他方側を−Ｙ側（前側）という。上下方向における一方側を＋Ｚ側（上側）、他方側を−Ｚ側（下側）という。
なお、以下の説明では、特別な言及が無い限り、表示部３が上下方向Ｚおよび左右方向Ｘに延びた姿勢についての各部の位置関係を説明する。
【００１１】
（本体部）
本体部２は、左右方向Ｘおよび前後方向Ｙに延びる扁平な形状の筐体を有している。筐体の内部には、マザーボード（基板）やバッテリなどが設けられている。本体部２は、ヒンジ２５を介して、表示部３に対して回動可能に連結されている。なお、本体部２と表示部３とは分離可能であってもよい。また、電子機器１は本体部２を有していなくてもよい。この場合、マザーボードやバッテリなどは表示部３内に設けられていてもよい。
【００１２】
本体部２における筐体の上面には、入力部２ａと、サブディスプレイ２ｂと、が設けられている。入力部２ａは、キーボードなどである。サブディスプレイ２ｂは、液晶ディスプレイ（LCD: liquid crystal display）や有機ＥＬ(electro luminescence）ディスプレイなどである。サブディスプレイ２ｂは、左右方向Ｘに長く、前後方向Ｙに短い長方形状となっている。
【００１３】
ヒンジ２５は、表示部３の−Ｚ側の端部と本体部２の＋Ｙ側の端部を連結しており、左右方向Ｘに延びている。サブディスプレイ２ｂは、入力部２ａよりも＋Ｙ側に位置している。換言すると、サブディスプレイ２ｂは、入力部２ａよりもヒンジ２５に近い位置に配置されている。
【００１４】
表示部３は、ディスプレイ６を備えている。ディスプレイ６は、液晶ディスプレイや有機ＥＬディスプレイなどである。ディスプレイ６には、配線７が接続されている。配線７を通じて、ディスプレイ６と本体部２のマザーボード等とが電気的に接続されている。
【００１５】
表示部３は透明領域Ａを有している。表示部３を前後方向Ｙから見ると、配線７が接続された部分を除き、ディスプレイ６が透明領域Ａに囲われる。これにより、ディスプレイ６が宙に浮いているような外観となる。
【００１６】
図２に示すように、表示部３は、第１透明板４と、透明部材１０と、フレーム体２０と、第２透明板５と、ディスプレイ６と、を有している。透明領域Ａは、第１透明板４、透明部材１０、および第２透明板５が前後方向Ｙに重ねられた構造となっている。
【００１７】
第１透明板４および第２透明板５は、フレーム体２０、透明部材１０、およびディスプレイ６を前後方向Ｙで挟んでいる。第１透明板４はディスプレイ６よりも−Ｙ側に位置し、第２透明板５はディスプレイ６よりも＋Ｙ側に位置している。
第１透明板４および第２透明板５は、上下方向Ｚおよび左右方向Ｘに延びる透明な板状に形成されている。本実施形態では、第１透明板４および第２透明板５は、前後方向Ｙから見て長方形状に形成されている。第１透明板４および第２透明板５としては、ガラスや透明の樹脂などを用いることができる。第１透明板４の表面に透明なタッチセンサを設けて、表示部３自体をタッチパネルとして用いてもよい。
【００１８】
フレーム体２０は、アルミニウム合金やマグネシウム合金などの金属材料や繊維強化プラスチックなどにより形成されている。フレーム体２０は、右フレーム２１と、上フレーム２２と、左フレーム２３と、下フレーム２４と、を有している。各部２１〜２４により、フレーム体２０は、前後方向Ｙから見て長方形の枠状に形成されている。右フレーム２１および左フレーム２３は上下方向Ｚに延びており、上フレーム２２および下フレーム２４は左右方向Ｘに延びている。上フレーム２２は、右フレーム２１および左フレーム２３の＋Ｚ側端部同士を接続している。下フレーム２４は、右フレーム２１および左フレーム２３の−Ｚ側端部同士を接続している。
【００１９】
下フレーム２４の−Ｚ側端部には、ヒンジ２５が設けられている。
図３に示すように、フレーム体２０には、第１凹部２０ａおよび第２凹部２０ｂが形成されている。第１凹部２０ａは、フレーム体２０の＋Ｙ側の端面から、−Ｙ側に向けて窪んでいる。第２凹部２０ｂは、フレーム体２０の−Ｙ側の端面から、＋Ｙ側に向けて窪んでいる。第１凹部２０ａおよび第２凹部２０ｂは、フレーム体２０の各部２１〜２４に沿って形成されている。このため、凹部２０ａ、２０ｂは、前後方向Ｙから見て長方形の枠状に形成されている。
【００２０】
凹部２０ａ、２０ｂは、右フレーム２１の＋Ｘ側の端部、上フレーム２２の−Ｚ側の端部、左フレーム２３の−Ｘ側の端部、および下フレーム２４の＋Ｚ側の端部に形成されている。凹部２０ａ、２０ｂの左右方向Ｘの寸法は、第１透明板４および第２透明板５の左右方向Ｘの寸法よりも大きい。凹部２０ａ、２０ｂの上下方向Ｚの寸法は、第１透明板４および第２透明板５の上下方向Ｚの寸法よりも大きい。
【００２１】
第１透明板４の少なくとも一部は、第１凹部２０ａの内側に位置している。第１透明板４は、接着剤８によって、第１凹部２０ａの内面に接着されている。接着剤８としては、紫外線硬化型樹脂、熱硬化型樹脂、熱可塑性樹脂、両面テープなどを用いることができる。図３の例では、第１凹部２０ａの＋Ｙ側を向く内面に接着剤８が設けられている。ただし接着剤８は、第１凹部２０ａの左右方向Ｘを向く内面に設けられていてもよい。
【００２２】
第２透明板５の少なくとも一部は、第２凹部２０ｂの内側に位置している。第２透明板５は、接着剤８によって、第２凹部２０ｂの内面に接着されている。図３の例では、第２凹部２０ｂの−Ｙ側を向く内面に接着剤８が設けられている。ただし接着剤８は、第２凹部２０ｂの左右方向Ｘを向く内面に設けられていてもよい。
複数の接着剤８によって、第１透明板４および第２透明板５は、フレーム体２０に対して接着および固定されている。本実施形態では、第１透明板４の全体が第１凹部２０ａの内側に位置しており、第２透明板５の全体が第２凹部２０ｂの内側に位置している。
【００２３】
ディスプレイ６は、第１透明板４に固定されている。ディスプレイ６は、液晶ディスプレイや有機ＥＬディスプレイなどである。第１透明板４を通して、使用者は、ディスプレイ６を視認することができる。ディスプレイ６は、前後方向Ｙから見て長方形状に形成されている。配線７は、ディスプレイ６の背面（＋Ｙ側の面）に接続されている。配線７とディスプレイ６とを接続する作業は、ディスプレイ６、第１透明板４、および透明部材１０を組み付けた後で行うことができる。このため、ディスプレイ６が第１透明板４に固定されていても、配線７を透明部材１０の配線収容部１４ａ（後述）内に収容することができる。
なお、表示部３自体をタッチパネルとして用いる場合には、ディスプレイ６と第１透明板４との間にタッチセンサを設ける。
【００２４】
透明部材１０は、透明な樹脂により形成されている。透明部材１０の材質としては、ポリカーボネート（PC: polycarbonate）やアクリル（PMMA: Poly Methyl Methacrylate）などを用いることができる。透明部材１０は、射出成型により形成されてもよいし、切削加工により形成されてもよい。
【００２５】
図２に示すように、透明部材１０は、ディスプレイ６を囲う囲繞部１０ａを有している。本実施形態では、長方形状のディスプレイ６を囲うように、囲繞部１０ａが長方形の枠状に形成されている。囲繞部１０ａは、右側部１１と、上側部１２と、左側部１３と、下側部１４と、を有している。右側部１１、上側部１２、左側部１３、および下側部１４は、一体に形成されている。すなわち、囲繞部１０ａは一体に形成されている。
【００２６】
右側部１１と左側部１３との間の左右方向Ｘにおける間隔は、ディスプレイ６の左右方向Ｘにおける寸法よりも大きい。上側部１２と下側部１４との間の上下方向Ｚにおける間隔は、ディスプレイ６の上下方向Ｚにおける寸法よりも大きい。
透明部材１０の左右方向Ｘにおける大きさは、フレーム体２０における右フレーム２１と左フレーム２３との間の左右方向Ｘにおける間隔よりも小さい。透明部材１０の上下方向Ｚにおける大きさは、フレーム体２０における上フレーム２２と下フレーム２４との間の上下方向Ｚにおける間隔よりも小さい。
【００２７】
右側部１１はディスプレイ６の−Ｘ側に位置し、上側部１２はディスプレイ６の＋Ｚ側に位置し、左側部１３はディスプレイ６の＋Ｘ側に位置し、下側部１４はディスプレイ６の−Ｚ側に位置している。
右側部１１および左側部１３は上下方向Ｚに延びており、上側部１２および下側部１４は左右方向Ｘに延びている。上側部１２は、右側部１１および左側部１３の＋Ｚ側端部同士を接続している。下側部１４は、右側部１１および左側部１３の−Ｚ側端部同士を接続している。
【００２８】
下側部１４の上下方向Ｚにおける幅は、上側部１２の上下方向Ｚにおける幅よりも大きい。また、下側部１４の上下方向Ｚにおける幅は、右側部１１および左側部１３の左右方向Ｘにおける幅よりも大きい。つまり、下側部１４の幅は、囲繞部１０ａにおける他の部分１１〜１３の幅よりも大きくなっている。
【００２９】
下側部１４には、配線収容部１４ａが設けられている。配線収容部１４ａは、下側部１４に形成された凹部である。配線収容部１４ａは、下側部１４の＋Ｙ側の端面から、−Ｙ側に向けて窪んでいる。配線収容部１４ａは、下側部１４の左右方向Ｘにおける端部に位置している。配線収容部１４ａは、下側部１４の＋Ｚ側端面から−Ｚ側端面にかけて、上下方向Ｚに延びている。つまり、配線収容部１４ａは、下側部１４を上下方向Ｚに横断するように形成されている。
【００３０】
図４に示すように、配線収容部１４ａの左右方向Ｘにおける幅は、配線７の左右方向Ｘにおける幅よりも大きい。配線収容部１４ａの前後方向Ｙにおける幅（深さ）は、配線７の前後方向Ｙにおける厚みよりも大きい。配線収容部１４ａの内側に、配線７の少なくとも一部が位置している。
【００３１】
なお、配線収容部１４ａの前後方向Ｙにおける幅は、配線７の前後方向Ｙにおける厚みより小さくてもよい。この場合でも、例えば透明部材１０と第２透明板５との間に前後方向Ｙの隙間を設けて、配線収容部１４ａと第２透明板５とにより形成される空間に配線７を収容することができる。
【００３２】
図３に示すように、囲繞部１０ａのうち、ディスプレイ６を向く内面１０ｂには薄膜１０ｃが形成されている。なお、内面１０ｂには、右側部１１の＋Ｘ側端面、上側部１２の−Ｚ側端面、左側部１３の−Ｘ側端面、および下側部１４の＋Ｚ側端面が含まれる。薄膜１０ｃの材質としては、アルミニウムなどの金属が好適である。薄膜１０ｃは、例えば蒸着やメッキなどにより、内面１０ｂの表面に形成することができる。内面１０ｂの表面に薄膜１０ｃによる反射面を形成することで、ディスプレイ６の端面などが、透明部材１０を通して視認されにくくなる。なお、薄膜１０ｃを設けずに、例えば内面１０ｂを鏡面磨きすることで、内面１０ｂ自体に反射面を形成してもよい。
【００３３】
透明部材１０は、枠状に形成されたフレーム体２０の内側に位置している。また、ディスプレイ６は、枠状に形成された透明部材１０の内側に位置している。そして、透明部材１０およびディスプレイ６は、第１透明板４および第２透明板５によって前後方向Ｙで挟まれている。
以上の構成により、透明部材１０は、フレーム体２０、ディスプレイ６、第１透明板４、および第２透明板５により形成された隙間を埋めるように設けられている。
【００３４】
図５は、図１に示す状態から表示部３をヒンジ２５回りに回動させて、表示部３と本体部２とを重ね合わせた状態を示している。
図５に示すように、表示部３と本体部２とを重ね合わせたときに、透明領域Ａおよびサブディスプレイ２ｂの位置が互いに一致する。より詳しくは、第１透明板４、透明部材１０の下側部１４、および第２透明板５が重なり合った部分が、サブディスプレイ２ｂを覆った状態となる。このため、使用者は、透明領域Ａを通して、サブディスプレイ２ｂを視認することができる。第２透明板５には、表示部３が閉じられた状態において、サブディスプレイ２ｂと重なるタッチセンサが設けられていてもよい。この場合、使用者は、第２透明板５に設けられたタッチセンサを介して、サブディスプレイ２ｂの画面を操作することができる。
【００３５】
以上説明したように、本実施形態の電子機器１は、第１透明板４と、第１透明板４に対向する第２透明板５と、ディスプレイ６と、透明部材１０と、を備えている。ディスプレイ６は、第１透明板４と第２透明板５との間で、第１透明板４および第２透明板５を部分的に覆っている。透明部材１０は、第１透明板４と第２透明板５との間で、ディスプレイ６の周囲に充てんされている。したがって、第１透明板４、第２透明板５、および透明部材１０により形成される透明領域Ａにディスプレイ６が配置され、ディスプレイ６が宙に浮いているような外観とすることができる。
【００３６】
また、透明部材１０は、ディスプレイ６を囲う囲繞部１０ａを有し、少なくとも囲繞部１０ａが一体に成形されている。このように、囲繞部１０ａが切れ目なくディスプレイ６を囲っていることで、透明部材１０の形状が視認されにくくなり、ディスプレイ６をより確実に宙に浮いた外観とすることができる。
【００３７】
また、透明部材１０はディスプレイ６を囲う囲繞部１０ａを有し、囲繞部１０ａのうち、ディスプレイ６を向く内面１０ｂに反射面（薄膜１０ｃ）が形成されている。これにより、例えば斜め方向から表示部３を目視したときに、ディスプレイ６の端面が透明部材１０を通して視認されにくくなり、電子機器１の外観をより良好にすることができる。
【００３８】
また、電子機器１は、ディスプレイ６を囲うフレーム体２０をさらに有している。このフレーム体２０により、表示部３全体の剛性および強度が高められている。そして透明部材１０は、フレーム体２０、ディスプレイ６、第１透明板４、および第２透明板５により形成された隙間全体に充てんされている。この構成により、フレーム体２０の内側に透明領域Ａを設けて、透明領域Ａの中にディスプレイ６を配置することができる。
【００３９】
また、透明部材１０には配線収容部１４ａが形成され、配線収容部１４ａの内側に、ディスプレイ６の配線７の少なくとも一部が位置している。これにより、配線７を通じて本体部２とディスプレイ６とを電気的に接続することができる。また、配線収容部１４ａを、透明部材１０の下側部１４における左右方向Ｘの端部に位置させることで、配線７を目立たなくすることができる。
【００４０】
また、第１透明板４とフレーム体２０との間、および第２透明板５とフレーム体２０との間には、接着剤８が設けられている。これにより、第１透明板４、第２透明板５、およびフレーム体２０が固定されている。そして、透明部材１０は、第１透明板４と第２透明板５とにより挟まれることで固定されている。一方、第１透明板４と透明部材１０との間および第２透明板５と透明部材１０との間には、接着剤が設けられていない。このように、透明領域Ａに接着剤を配置しないことで、電子機器１の外観をより良好にすることができる。
【００４１】
また、本体部２には、表示部３と本体部２とが重ねられたときに、第１透明板４、透明部材１０、および第２透明板５を通して視認可能なサブディスプレイ２ｂが設けられている。これにより、クラムシェル型の電子機器１において、表示部３が閉じられている状態でもサブディスプレイ２ｂを視認することができる。
【００４２】
なお、本発明の技術的範囲は前記実施の形態に限定されず、本発明の趣旨を逸脱しない範囲において種々の変更を加えることが可能である。
【００４３】
例えば、前記実施形態では本体部２にサブディスプレイ２ｂが設けられていたが、このようなサブディスプレイ２ｂが設けられていなくてもよい。
また、前記実施形態では、表示部３と本体部２とがヒンジ２５回りに回動可能に連結されていたが、例えば表示部３と本体部２とがスライド移動するように構成されていてもよい。
【００４４】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４５】
１…電子機器  ２…本体部  ２ｂ…サブディスプレイ  ３…表示部  ４…第１透明板  ５…第２透明板  ６…ディスプレイ  ７…配線  １０…透明部材  １０ａ…囲繞部  １０ｂ…内面  １０ｃ…薄膜  １４ａ…配線収容部  ２０…フレーム体
【図１】
2020034845.tif 000003
【図２】
2020034845.tif 000004
【図３】
2020034845.tif 000005
【図４】
2020034845.tif 000006
【図５】
2020034845.tif 000007
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
第１透明板と、
前記第１透明板と対向する第２透明板と、
前記第１透明板と前記第２透明板との間で、前記第１透明板および前記第２透明板を部分的に覆うディスプレイと、
前記第１透明板と前記第２透明板との間で、前記ディスプレイの周囲に充てんされた透明部材と、を備え、
前記透明部材は、前記ディスプレイを囲う囲繞部を有し、
前記囲繞部のうち、前記ディスプレイを向く内面に反射面が形成されている電子機器。
【請求項２】
第１透明板と、
前記第１透明板と対向する第２透明板と、
前記第１透明板と前記第２透明板との間で、前記第１透明板および前記第２透明板を部分的に覆うディスプレイと、
前記第１透明板と前記第２透明板との間で、前記ディスプレイの周囲に充てんされた透明部材と、
前記ディスプレイを囲うフレーム体と、を備え、
前記透明部材は前記フレーム体、前記ディスプレイ、前記第１透明板、および前記第２透明板により形成された隙間全体に充てんされる電子機器。
【請求項３】
第１透明板と、前記第１透明板と対向する第２透明板と、前記第１透明板と前記第２透明板との間で、前記第１透明板および前記第２透明板を部分的に覆うディスプレイと、前記第１透明板と前記第２透明板との間で、前記ディスプレイの周囲に充てんされた透明部材と、前記ディスプレイを囲うフレーム体と、を有する表示部と、
前記表示部に対して移動可能であり、前記表示部に重ねられることが可能な本体部と、を備え、
前記本体部には、前記表示部と前記本体部とが重ねられたときに、前記第１透明板、前記透明部材、および前記第２透明板を通して視認可能なサブディスプレイが設けられている電子機器。
【請求項４】
前記透明部材は、前記ディスプレイを囲う囲繞部を有し、
少なくとも前記囲繞部が一体に成形されている、請求項１から３のいずれか１項に記載の電子機器。
【請求項５】
前記透明部材には配線収容部が形成され、
前記配線収容部の内側に、前記ディスプレイの配線の少なくとも一部が位置している、請求項１から４のいずれか１項に記載の電子機器。
【請求項６】
前記第１透明板と前記透明部材との間および前記第２透明板と前記透明部材との間には、接着剤が設けられていない、請求項１から５のいずれか１項に記載の電子機器。